(57)【要約】【課題】リモート操作装置の基本構造を変更せずに、簡易な防塵板を追加装備するだけでケースカバーの窓穴からの塵埃侵入を防いで防塵性を高める。【解決手段】ロッカー式操作ハンドルを備えた回路遮断器に装着して使用するリモート操作装置で、その本体ケース３に内蔵して前記ハンドルに連係させたリニアアクチュエータの可動子５に手動操作用の把手８を併設し、該把手をケースカバーに開口した窓穴３ａに臨ませたものにおいて、リニアアクチュエータの可動子上面とケースカバーとの間に介装してカバーの窓穴を内側から覆うスライド式の防塵板１０を備えるものとし、該防塵板は窓穴３ａの開口長さＬ２より長大な全長を有し、かつその板面中央に把手８の移動ストロークよりも短小な長穴１０ａを開口して前記把手に遊嵌支持させ、把手の動きに追随して防塵板を左右にスライド移動させて可動子と窓穴との間の隙間を塞ぐようにする。【選択図】    図１
2004235098.tif 000002
【特許請求の範囲】
【請求項１】
ロッカー式操作ハンドルを備えた回路遮断器に装着し、外部指令に基づき前記ハンドルをＯＮ，ＯＦＦ位置に駆動する回路遮断器のリモート操作装置であって、その本体ケースに内蔵して前記ハンドルに連係させたリニアアクチュエータの可動子に手動操作用の把手を併設し、該把手をケースカバーに開口した窓穴に臨ませたものにおいて、
リニアアクチュエータの可動子上面とケースカバーとの間に介装してカバーの窓穴を内側から覆うスライド式の防塵板を備えるものとし、該防塵板は前記窓穴の開口長さより長大な全長を有し、かつその板面中央に前記把手の移動ストロークよりも短小な長穴を開口して前記可動子の把手に遊嵌支持させたことを特徴とする回路遮断器のリモート操作装置。
【請求項２】
請求項１に記載のリモート操作装置において、防塵板の両端にケースカバーに対峙して防塵板の移動範囲を規制するストッパを設けたことを特徴とする回路遮断器のリモート操作装置。
【発明の詳細な説明】
【０００１】
【発明の属する技術分野】
本発明は、配線用遮断器（オートブレーカ），漏電遮断器などの回路遮断器に適用する外部付属装置としてのリモート操作装置に関する。
【０００２】
【従来の技術】
低圧配電設備のコンポーネントとして使用する頭記の回路遮断器は配電盤，制御盤に装備して集中監視システムを構築する例が多く、この回路遮断器の外部付属装置（オプション品）として、外部からの指令（電気信号）により回路遮断器のロッカー式ハンドルを操作してＯＮ，ＯＦＦに切換えるようにしたリモート操作装置がある。
また、リモート操作装置として、装置の小形，コンパクト化を狙いに、旧来の電動機式リニアアクチュエータに代わる電磁式リニアアクチュエータを採用したリモート操作装置が提案，開発されている（例えば、特許文献１参照。）。
【０００３】
次に、電磁式リニアアクチュエータを採用したリモート操作装置の従来例として、本発明と同一出願人より先に出願した特願２００１−３５２５７７号の明細書に開示されているリモート操作装置の具体的な構成を図３（ａ），（ｂ）  に示す。図において、１は回路遮断器（オートブレーカ）、２は回路遮断器１に装着したリモート操作装置であり、該リモート操作装置２は、その本体ケース３の内部にガイドレール４、該ガイドレール４に案内支持した可動子（可動コア）５、およびＥ形コアに励磁コイルを巻装して可動子５の両側に配した固定子６からなる電磁式リニアアクチュエータ７を内蔵した構成になる。
【０００４】
そして、このリモート操作装置２を回路遮断器１の上部に装着した状態で、回路遮断器１から上方に突き出したロッカー式ハンドル１ａに前記可動子５の裏面中央に形成した凹部５ａを嵌合して連係し、リニアアクチュエータ７の駆動でハンドル１ａをＯＮ，ＯＦＦ，およびＲＥＳＥＴ位置に切換え操作するようにしている。
なお、回路遮断器１の構造および動作は周知でありここではその説明は省略する。また、電磁式リニアアクチュエータ７を搭載したリモート操作装置２の動作原理については、特許文献１に詳しく述べられている。
【０００５】
また、前記のリモート操作装置２には、可動子５の上面中央に手動操作用の把手（ノブ）８を併設し、停電，保守点検時にリモート操作装置２の把手８を手動操作して回路遮断器１をＯＮ／ＯＦＦ切換え操作できるようにしており、この把手８に対向してケース３のカバー中央に形成した凹部の底面に窓穴３ａを開口した上で、凹部上面にはケース内方への塵埃侵入を防止する保護カバー（開閉蓋）９を備えている。なお、図示してないが、可動子５の移動経路にはＯＮ，ＯＦＦのストロークエンドに対応する位置検出スイッチを配置し、該スイッチの検出信号を基にリニアアクチュエータ７を制御するようにしている。
【０００６】
【特許文献１】
特開２００２−１１２５１８号公報
【０００７】
【発明が解決しようとする課題】
ところで、前記した従来構造のリモート操作装置は、防塵性の面で次記のような課題がある。
すなわち、本体ケース３のカバー上面に形成した窓穴３ａの開口長さＬ１  は、回路遮断器１のハンドル１ａ（図３参照）をＯＮ／ＯＦＦ位置に切換える際の手動操作用把手８の移動ストロークに対応した長さに合わせて形成されている。これに対してリニアアクチュエータの可動子５の長さ寸法はＬ２  で、この中央に把手８が突き出している。したがって、図４（ａ），（ｂ）  で表すようにリニアアクチュエータ７の可動子５がＯＮ／ＯＦＦのストロークエンド位置に移動した状態では、可動子５の端部と窓穴３ａとの間に隙間ｇが生じる。この場合に、通常は保護カバー９を閉じて外部からの塵埃侵入を防いでいるが、手動操作時には保護カバー９を開いて把手８を操作することから、前記隙間ｇを通じて周囲からケース内に塵埃ｄｕｓｔが侵入（点線矢印）し、リニアアクチュエータの可動子の円滑な動きを阻害するなどの問題を引き起こすおそれがある。
【０００８】
一方、前記問題に対する防塵対策として、ケースカバーの窓穴３ａを蛇腹式の防塵カバーで覆い、この蛇腹式防塵カバーを貫通して手動操作用の把手８を突き出すようにした構成を試みたが、構造が複雑でコスト高となるほか、蛇腹式の防塵カバーの耐久性にも問題があって実用的でない。
本発明は上記の点に鑑みなされたものであり、装置の基本構造を変更することなしに、簡易な防塵板を追加装備するだけでケースカバーに開口した窓穴を通じて外部から塵埃が侵入するのを防いで防塵性を高めるように改良した回路遮断器のリモート操作装置を提供することを目的とする。
【０００９】
【課題を解決するための手段】
上記目的を達成するために、本発明によれば、開閉操作ハンドルを備えた回路遮断器に付属装着し、外部指令に基づき前記ハンドルをＯＮ，ＯＦＦ位置に切換え操作する回路遮断器のリモート操作装置であって、本体ケースに内蔵して前記ハンドルに連係させたリニアアクチュエータの可動子に手動操作用の把手を併設し、該把手を本体ケースのカバーに開口した窓穴に臨ませたものにおいて、
リニアアクチュエータの可動子上面とケースカバーとの間に介装してカバーの窓穴を内側から覆うスライド式の防塵板を備えるものとし、該防塵板はケースカバーの窓穴の開口長さより長大な全長を有し、かつその板面中央には前記把手の移動ストロークよりも短小な長穴を開口して前記可動子の把手に遊嵌して支持する（請求項１）。
【００１０】
上記の構成によれば、リニアアクチュエータの可動子を手動操作でＯＮ／ＯＦＦ位置に移動すると、把手の動きに追随して防塵板がスライド移動し、そのストロークエンドでは可動子の端部からさらに後方に延在する防塵板が可動子とケースカバーの窓穴との間の隙間を塞いで塵埃の侵入を防ぐ。しかも、防塵板の板面中央には前記把手の移動ストロークよりも短小な長穴を開口して把手に遊嵌支持するようにしたことで、前記把手に追随して動く防塵板の移動量をリニアアクチュエータの可動子の移動ストローク量よりも小さな範囲に抑えることができ、これにより本体ケースの外形を拡大変更せずに防塵板の機能確保が図れる。
【００１１】
また、回路遮断器の据付け姿勢を縦向きとした実使用状態でも、防塵板が自重でＯＮ／ＯＦＦストロークエンドの定位置から勝手にずれ落ちてカバー窓穴との間に隙間を生じることがないようにするために、本発明では、防塵板の両端にケースカバーに対峙して防塵板の可動範囲を規制するストッパを設けるものとする（請求項２）。
【００１２】
【発明の実施の形態】
以下、本発明の実施の形態を図１，図２に示す実施例に基づいて説明する。なお、各実施例の図中で図４に対応する部材には同じ符号を付してその説明は省略する。
〔実施例１〕
図１（ａ），（ｂ）  において、リモート操作装置２は基本的に図３と同様な構造であるが、リニアアクチュエータの可動子５の上面と本体ケース３のカバーとの間に介装してカバーの窓穴３ａを内側から覆うようにスライド式の防塵板１０が新たに追加装備されている。この防塵板１０は前記窓穴３ａの長さ寸法Ｌ１  ，可動子５の全長Ｌ２  より長大な寸法Ｌ３  を有する長尺板であり、かつその板面中央には可動子５の上面側に併設した手動操作用把手８の移動ストロークよりも多少短めに設定した角穴状の長穴１０ａを開口して可動子５の把手８に遊嵌支持している。また、防塵板１０の両端には、本体ケース３のカバー中央に形成した凹部の両端面に突き当てて防塵板１０の移動範囲を規制する突起状のストッパ１０ｂを設けている。
【００１３】
上記の構成で、図１（ａ）  のように手動操作で可動子５をＯＦＦ位置（図３参照）に向け左方向に移動すると、その移動途上で把手８が防塵板１０の長穴１０ａの左縁に当たり、これにより防塵板１０が把手８の動きに追随して左側にスライドするとともに、把手８がストロークエンドに移動すると、同時に防塵板１０は右側のストッパ１０ｂが本体ケース３のカバー凹段部に当ってそれ以上の移動が拘束される。この状態では、可動子５の上面に重なってその右端部からさらに右後方に延在する防塵板１０が可動子５の右端部とケースカバーの窓穴３ａとの間を隙間（図４に表した隙間ｇ）を塞いで外部から塵埃が侵入するのを防ぐ。
【００１４】
また、図１（ａ）  の位置から可動子５をＯＮ位置に向けて右方向に移動すると、前記とは逆に可動子５の移動途上で把手８が防塵板１０の長穴１０ａの右縁に当たり、これに追随して防塵板１０が右側にスライドするとともに、把手８がストロークエンドに移動すると同時に防塵板１０は左側のストッパ１０ｂが本体ケース３のカバー凹段部に当ってそれ以上の移動が拘束される。この状態では、可動子５の上面に重なってその左端部からさらに左後方に延在する防塵板１０が可動子５の左端部とケースカバーの窓穴３ａとの間の隙間を塞いで外部からの塵埃侵入を防ぐ。
【００１５】
この場合に、実施例の構造では防塵板１０の板面中央に長穴１０ａを開口して把手８に遊嵌支持したことにより、前記動作における左右への移動量は把手８のストローク移動量よりも小範囲となる。したがって、既存の本体ケース３の外形寸法でも防塵板１０の移動がケースカバーの外壁によって阻まれることがない。かかる点、仮に防塵板１０を把手８に直結して一体に動くようにしたとすると、防塵板の左右へのスライド移動範囲が大きくなり、このために防塵板１０のスライド量に合わせて本体ケース３の外形を拡大する構造の変更が必要となる。
また、防塵板１０の左右両端に設けたストッパ１０ｂは次のような役目を果たす。すなわち、図３に示した回路遮断器１を配電盤などに装備する場合に、通常は操作ハンドル１ａが正面を向くように縦向き姿勢に設置する。この場合に、防塵板１０に前記のストッパ１０ｂを設けてないと、リニアアクチュエータの把手８を下向きに移動操作した際に、防塵板１０が長穴１０ａの遊び分だけ自重で下方へ余分に落ち込んでしまい、この結果として可動子５とケースカバーの窓穴３ａとの間に隙間が生じてしまう。かかる点、図示例のようにストッパ１０ｂを設けておけば、防塵板１０が定位置までスライド移動したところでケースカバー３に係止保持されるのでそれ以上に自重で下方に落ち込むことがなく、これにより防塵機能を確保できる。
【００１６】
〔実施例２〕
図２（ａ），（ｂ）  は先記実施例１の応用実施例を示すものである。この実施例においては、防塵板１０の全長を実施例１の長さＬ２  よりも左右に延長し、その先端をストッパとしてリニアアクチュエータの把手８がＯＮ／ＯＦＦのストロークエンドに移動した際に、防塵板１０の先端が本体ケース３のカバー外壁に突き当たるように設定しており、その他は実施例１の構造と同様である。
上記の構成で、図２（ａ）  のように可動子５を左側に移動すると、そのストロークエンドで防塵板１０の左側先端が本体ケース３のカバー外壁（側面）に突き当たり、この位置で可動子５の右後端とケースカバーの窓穴３ａとの間の隙間を塞いで塵埃の侵入を防止する。また、図２（ｂ）  のように可動子５を右側に移動すると、そのストロークエンドで防塵板１０の右側先端が本体ケース３のカバー外壁に突き当たり、この位置で可動子５の左後端とケースカバーの窓穴３ａとの間の隙間を塞ぐ。
【００１７】
したがって、回路遮断器のハンドルを正面に向けて縦向き姿勢に設置した場合でも、把手８の動きに追随してスライド移動する防塵板１０はその終端位置で先端がケースカバーの外壁に突き当たってそれ以上の移動が阻止される。これにより、実施例１のストッパ１０ｂと同様に長穴１０ａの遊びにより自重で下方にずれ落ちるおそれがなく、ケースカバーの窓穴３ａと可動子５との間の隙間を塞いで防塵機能を確保できる。
【００１８】
【発明の効果】
以上述べたように、本発明によれば、ロッカー式操作ハンドルを備えた回路遮断器に装着し、外部指令に基づき前記ハンドルをＯＮ，ＯＦＦ位置に駆動する回路遮断器のリモート操作装置で、その本体ケースに内蔵して前記ハンドルに連係させたリニアアクチュエータの可動子に手動操作用の把手を併設し、該把手をケースカバーに開口した窓穴に臨ませたものにおいて、前記リニアアクチュエータの可動子上面とケースカバーとの間に介装してカバーの窓穴を内側から覆うスライド式の防塵板を備えるものとし、該防塵板は前記窓穴の長さ寸法より長大で、かつその板面中央に前記把手の移動ストロークよりも短小な長穴を開口して前記可動子の把手に遊嵌支持させたことにより、
リモート操作装置の基本構造に変更を加えることなく、簡易な防塵板を追加装備するだけで、防塵板が可動子とケースカバーの窓穴との間の隙間を塞いで塵埃性を高めることができる。しかも、防塵板の板面中央には前記把手の移動ストロークよりも短小な長穴を開口して把手に遊嵌支持するようにしたことで、防塵板の移動量をリニアアクチュエータの可動子の移動ストローク量よりも小さな範囲に抑え、これにより本体ケースの限られた外形サイズに制約されることなく防塵板を支障無く適用できる。
【００１９】
また、防塵板の両端にケースカバーに対峙して防塵板の移動範囲を規制するストッパを設けたことにより、回路遮断器の据付け姿勢を縦向きとした場合でも、防塵板が自重でＯＮ／ＯＦＦストロークエンドの定位置から勝手にずれ落ちてカバー窓穴との間に隙間を生じることが防げる。
【図面の簡単な説明】
【図１】本発明の実施例１に対応するリモート操作装置の構成図で、（ａ），（ｂ）  はそれぞれ保護カバーを開いてリニアアクチュエータの可動子の把手を左右のストロークエンドに移動操作した状態を表す縦断側面図
【図２】本発明の実施例２に対応するリモート操作装置の構成図で、（ａ），（ｂ）  はそれぞれ保護カバーを開いてリニアアクチュエータの可動子の把手を左右のストロークエンドに移動操作した状態を表す縦断側面図
【図３】電磁式リニアアクチュエータを装備したリモート操作装置の従来例の構成図で、（ａ），（ｂ）  はそれぞれ回路遮断器に装着した状態での内部構造を表す側面図，および正面図、（ｃ）  は保護カバーを開放した状態の平面図
【図４】図３のリモート操作装置における把手部周辺の拡大図で、（ａ），（ｂ）  はそれぞれ保護カバーを開いてリニアアクチュエータの可動子の把手を左右のストロークエンドに移動操作した状態を表す縦断面図，および平面図
【符号の説明】
１    回路遮断器
１ａ  操作ハンドル
２    リモート操作装置
３    本体ケース
３ａ  窓穴
５    リニアアクチュエータの可動子
７    電磁式リニアアクチュエータ
８    手動操作用の把手
９    保護カバー
１０    防塵板
１０ａ  長穴
１０ｂ  ストッパ
Ｌ１    窓穴の開口長さ
Ｌ２    可動子の全長
Ｌ３      防塵板の全長
Ｌ４    長穴の開口長さ
【図１】
2004235098.tif 000003
【図２】
2004235098.tif 000004
【図３】
2004235098.tif 000005
【図４】
2004235098.tif 000006